(57)【要約】【課題】採血管の蓋を外すことなく、複数種の量について定量的に液体を採取できる採取器具を提供すること。【解決手段】採取器具は、採血管の蓋を貫通し、採血管内の液体を採取するための採取器具であって、先端に刺突部を有する管部と、管部の基端に接続され、内部に空間を含み、弾性を有する複数の操作部と、を有し、管部の硬さは、複数の操作部のそれぞれよりも硬い。【選択図】図１
2020180923.tif 000002
【特許請求の範囲】
【請求項１】
採血管の蓋を貫通し、前記採血管内の液体を採取するための採取器具であって、
先端に刺突部を有する管部と、
前記管部の基端に接続され、内部に空間を含み、弾性を有する複数の操作部と、
を有し、
前記管部の硬さは、前記複数の操作部のそれぞれよりも硬い、
採取器具。
【請求項２】
前記管部の材料と、前記複数の操作部の材料とは、いずれも樹脂である、請求項１に記載の採取器具。
【請求項３】
前記複数の操作部における前記空間の容積は、それぞれ異なる、請求項１または請求項２に記載の採取器具。
【請求項４】
前記複数の操作部は、直列に接続されている、請求項１〜３のいずれか一項に記載の採取器具。
【発明の詳細な説明】
【技術分野】
【０００１】
本発明は、採取器具に関する。
【背景技術】
【０００２】
臨床検査では、血液中のタンパク質やＤＮＡなどの被測定物質を測定し、患者の状態を把握して治療方針などを決定することがある。例えば、血液などの液体は、患者から採血管に採取され、各種検査に使用される。一般に、採血管内の液体を各種検査装置に移動させるためには、スポイトなどの採取器具が使用される（例えば、特許文献１、２参照）。
【０００３】
特許文献１には、一定量の液体を計量できる定量スポイトが記載されている。特許文献１に記載の定量スポイトは、先端開口部と、定量部と、廃液貯留部と、把持部と、吸引吐出部と、を有する。先端開口部と、定量部と、廃液貯留部と、把持部と、吸引吐出部とは、共通の内部空間を形成している。
【０００４】
特許文献１に記載の定量スポイトを用いて、採血管内の液体を採取するためには、まず採血管の蓋を外す。そして、定量スポイトの吸引吐出部を押圧して内部空間の空気を先端開口部から排出した状態で、先端開口部を液体の内部に浸ける。吸引吐出部の押圧を解放すると、先端開口部から内部空間に液体が吸引される。吸引された液体は定量部を満たし、定量部の容量以上の液体は、廃液貯留部に流れることで、一定量の液体が計量される。そして、吸引吐出部を再度押圧することにより、先端開口部から定量部内の液体を検査装置の貯留部などに排出する。
【０００５】
特許文献２には、採血管の蓋に刺突して、採血管内の液体を採取するための検体採取器具が記載されている。検体採取器具は、スポイトと、ガイドとを有する。スポイトは、弾性変形部を含む本体と、導入部を含むキャップと、を有する。スポイトおよびガイドは、共通の内部空間を形成している。ガイドは、キャップ側の端部に配置されており、導入部が採血管の蓋を刺突するのをガイドする。
【０００６】
導入部を採血管の蓋に貫通させ、吸引吐出部の押圧を解放すると、先端開口部から内部空間に液体が吸引される。次いで、検体採取器具から採血管を抜き取った後、弾性変形部を再度押圧することにより、導入部から内部空間の液体を検査装置の貯留部などに排出する。
【先行技術文献】
【特許文献】
【０００７】
【特許文献１】特開２０１８−０２０２８３号公報
【特許文献２】特開２０１０−２６６４６４号公報
【発明の概要】
【発明が解決しようとする課題】
【０００８】
しかしながら、特許文献１に記載の定量スポイトを用いて、採血管から液体を採取する場合、採血管の蓋を外す必要があった。また、特許文献１に記載の定量スポイトでは、定量スポイトごとに採取できる容量が決まっているため、採取する液体の量ごとに、採取可能な容量の異なる定量スポイトを用意する必要があった。また、特許文献２に記載の検体採取器具では、採血管の蓋を外すことなく液体を採取できるが、定量的に液体を採取できないという問題があった。
【０００９】
そこで、本発明の目的は、採血管の蓋を外すことなく、複数種の量について定量的に液体を採取できる採取器具を提供することである。
【課題を解決するための手段】
【００１０】
本発明は、上記課題を解決するための一態様として、採取器具は、採血管の蓋を貫通し、前記採血管内の液体を採取するための採取器具であって、先端に刺突部を有する管部と、前記管部の基端に接続され、内部に空間を含み、弾性を有する複数の操作部と、を有し、前記管部の硬さは、前記複数の操作部のそれぞれよりも硬い。
【発明の効果】
【００１１】
本発明によれば、採血管の蓋を外すことなく、定量的に液体を採取できる採取器具を提供できる。
【図面の簡単な説明】
【００１２】
【図１】図１は、本発明の実施の形態に係る採取器具の構成を示す図である。
【発明を実施するための形態】
【００１３】
以下、本発明の一実施の形態について、添付した図面を参照して詳細に説明する。
【００１４】
（採取器具の構成）
図１は、本実施の形態に係る採取器具１００の構成を示す図である。
【００１５】
図１に示されるように、採取器具１００は、管部１１０と、複数の操作部１２０とを有する。採取器具１００は、採血管の内部に貯留した血液などの液体などを定量的に採取し、検査装置などに移行するときに使用される。管部１１０は、蓋を貫通し、液体の表面まで到達する。管部１１０の材料は、上記の機能を発揮できれば特に限定されない。管部１１０の材料の例は、ポリメタクリル酸メチル（ＰＭＭＡ）、ポリエチレンテレフタレート（ＰＥＴ）、ポリアセタール（ＰＯＦ）、ポリテトラフルオロエチレン（ＰＴＦＥ）、ポリエーテルエーテルケトン（ＰＥＥＫ）、ポリエーテルイミド（ＰＥＩ）、ポリイミド（ＰＩ）などの樹脂や、ステンレス、ニッケル、アルミニウム合金などの金属が含まれる。管部１１０の材料は、コストの観点から、樹脂が好ましい。
【００１６】
管部１１０は、筒状に形成されている。管部１１０は、先端に配置された刺突部１１１と、刺突部１１１の基端に接続されたストレート部１１２とを有する。
【００１７】
刺突部１１１は、基端から先端に向けて径が細くなるように形成されている。刺突部１１１の先端の外径は、採血管の蓋を貫通できる程度に細ければ特に限定されない。刺突部１１１の先端の外径は、０．８〜３．０ｍｍが好ましく、１．０〜２．０ｍｍがより好ましい。刺突部１１１の基端の外径は、１．０〜４．０ｍｍが好ましく、２．０〜３．０ｍｍがより好ましい。刺突部１１１の先端の内径は、液体が流通できれば特に限定されない。刺突部１１１の先端の内径は、０．５〜２．０ｍｍが好ましく、１．０〜１．５ｍｍがより好ましい。刺突部１１１の基端の内径は、０．８〜３．８ｍｍが好ましく、１．０〜３．０ｍｍがより好ましい。
【００１８】
ストレート部１１２は、基端から先端まで同一径でもよいし、異なる径でもよい。本実施の形態では、ストレート部１１２は、基端から先端まで同一径となるように形成されている。ストレート部１１２の外径および内径は、刺突部１１１の基端の外径および内径とそれぞれ同じである。ストレート部１１２の長さは、特に限定されず、採血管の容量と、採取する液体量に応じて適宜設定される。
【００１９】
操作部１２０は、内部に空間を含み、弾性を有する。操作部１２０内の空間の容積は、操作部１２０を押圧することで減少し、押圧を解除することで元に戻る。このように操作部１２０内の容積を変化させて管部１１０内の空間の圧力を変化させることにより、管部１１０内の空間に液体を出し入れする。操作部１２０の材料は、上記の機能を発揮できれば特に限定されない。操作部１２０の材料の例には、ポリプロピレン（ＰＰ）、ポリ塩化ビニル（ＰＶＣ）、ポリカーボネート（ＰＣ）などの樹脂や、シリコーンゴム、フッ素ゴムなどのゴムや、スチレン系エラストマー、オレフィン系エラストマーなどのエラストマーが含まれる。操作部１２０の材料は、コストの観点から、樹脂が好ましい。
【００２０】
操作部１２０の数は、複数であれば特に限定されない。本実施の形態では、操作部１２０の数は、３つである。複数の操作部１２０は、直列に接続されていてもよいし、並列に接続されていてもよい。本実施の形態では、複数の操作部１２０は、成形性が容易である観点から、直列に接続されている。３つの操作部１２０は、接続部１２１を介してそれぞれ接続されている。
【００２１】
接続部１２１の径は、管部１１０のストレート部１１２と同じ径でもよいし、異なる径でもよい。本実施の形態では、接続部１２１の径は、ストレート部１１２の径と同じ径である。
【００２２】
複数の操作部１２０の大きさ（空間の容量）は、特に限定されない。操作部１２０の大きさ（空間の容量）は、例えば５０〜５００μＬである。複数の操作部１２０における空間の容積は、同じであってもよいが、それぞれ異なることが好ましい。本実施の形態では、操作部１２０は、容量が１００μＬの操作部１２０と、容量が２００μＬの操作部１２０と、容量が５００μＬの操作部１２０とを有する。操作部１２０が接続される順番は、特に限定されない。本実施の形態では、操作部１２０は、管部１１０側から１００μＬ用、２００μＬ用、３００μＬ用の順番で接続されている。
【００２３】
管部１１０の硬さは、操作部１２０の硬さよりも硬い。管部１１０の硬さと、操作部１２０の硬さとを調整する方法は、特に限定されない。例えば、管部１１０を操作部１２０よりも硬い材料で形成することで管部１１０および操作部１２０の硬さを調整してもよいし、管部１１０および操作部１２０の厚みを調整することで管部１１０および操作部１２０の硬さを調整してもよい。管部１１０および操作部１２０の硬さは、例えばタイプＡデュロメーターまたはタイプＤデュロメーターによって測定できる。
【００２４】
採取器具１００は、例えば、射出成形部品を接合することにより製造できる。例えば、採取器具１００の中心軸ＣＡを含む平面で切断した操作部１２０の半分の部品を射出成形により成形する。そして、操作部１２０の半分の部品と、操作部１２０の半分の部品とを接合して操作部１２０を成形する。また、管部１１０を射出成形により成形する。最後に操作部１２０と、管部１１０とを接合することで採取器具を製造できる。
【００２５】
また、例えば、採取器具１００の中心軸ＣＡを含む平面で切断した管部１１０の半分の形状の部品を射出成形により成形する。そして、管部１１０の半分の部品に、中心軸ＣＡを含む平面で切断した操作部１２０の半分の形状を二色成形する。そして、中心軸ＣＡを含む平面で切断した採取器具１００の半分の形状の部品同士を接合することで採取器具１００を製造できる。
【００２６】
また、例えば、採取器具１００の中心軸ＣＡを含む平面で切断した採取器具１００の半分の形状の部品を射出成形により成形する。そして、中心軸ＣＡを含む平面で切断した採取器具１００の半分の形状の部品同士を接合することで採取器具１００を製造できる。
このとき、管部１１０と、操作部１２０との硬さは、材料の厚みで調整する。
【００２７】
（採取器具の使用方法）
採取器具１００の使用方法は、管部１１０内の空気を排出する工程と、採血管の蓋に管部１１０を刺突させる工程と、管部１１０内に液体を吸引する工程と、蓋から管部１１０を引き抜く工程と、を含む。
【００２８】
管部１１０内の空気を排出する工程では、操作部１２０を押圧して操作部１２０の空間の空気を排出することにより、管部１１０の先端から空気を排出する。押圧する操作部１２０は、１つでもよいし、２つでもよいし、３つでもよい。例えば、１００μＬ用の操作部１２０を押圧すると、１００μＬ分の空気が管部１１０の先端から排出される。また、１００μＬ用の操作部１２０と、３００μＬ用の操作部１２０を同時に押圧すると、４００μＬ分の空気が管部１１０の先端から排出される。
【００２９】
管部１１０を刺突させる工程では、管部１１０の先端が液体に浸かるように、管部１１０の刺突部１１１で採血管の蓋を貫通させる。
【００３０】
管部１１０内の空気を排除する工程と、管部１１０を刺突させる工程とは、いずれの工程を先に行ってもよい。
【００３１】
管部１１０内に液体を吸引する工程では、操作部１２０に対する押圧を解放して、管部１１０内に液体を吸引する。このとき、前述の管部１１０内の空気を排出する工程において、１００μＬ分の空気を管部１１０の先端から排出した場合には、１００μＬの液体が吸引される。また、４００μＬ分の空気を管部１１０の先端から排出した場合には、４００μＬの液体が吸引される。
【００３２】
蓋から管部１１０を引き抜く工程では、管部１１０内に液体が吸引された状態で、蓋から管部１１０を引き抜く。
【００３３】
採取した液体は、検査装置などに移行される。
【００３４】
（効果）
以上のように、本実施の形態に係る採取器具１００によれば、管部１１０と操作部１２０との硬さが異なり、管部１１０の刺突部１１１を採血管の蓋に刺突できるため、採血管の蓋を外すことなく、採血管内の液体を採取できる。また、操作部１２０が複数の操作部１２０を有するため、複数種の液体量を採取できる。
【産業上の利用可能性】
【００３５】
本発明の採取器具は、例えば、臨床検査などの用途において有用である。
【符号の説明】
【００３６】
１００  採取器具
１１０  管部
１１１  刺突部
１１２  ストレート部
１２０  操作部
１２１  接続部
ＣＡ  中心軸
【図１】
2020180923.tif 000003